(57)【要約】      （修正有）【課題】観賞魚用水槽にサーモスタットを縦方向に収納でき且つ水没しても内容物のサーモスタットが浮力で容器外に飛び出なくする機能と、観賞魚用水槽に必要に応じて自由に着脱できる機能を持たせたサーモスタットのホルダーを提供する。【解決手段】観賞魚用水槽にサーモスタットを収容するホルダーであって、穴６を有する本体容器１と、ボルト３を装備した鉤２と、前記本体容器１の開口部に対応する蓋７で構成する。【選択図】図１
0003155933.tif 000002
【実用新案登録請求の範囲】
【請求項１】
観賞魚用サーモスタットを収容するホルダーであって、穴を有する本体容器と、ボルトを装備した鉤と、前記本体容器の開口部に対応する蓋で構成されたことを特徴とするホルダー。
【考案の詳細な説明】
【技術分野】
【０００１】  本考案は、観賞魚用水槽を保温するサーモスタットを鑑賞魚用水槽に固定する為に使用されるホルダーに関する。
【背景技術】
【０００２】  従来、従来観賞魚用水槽を保温するサーモスタットを観賞魚用水槽に固定する為に使用されるサーモスタットのホルダーは、様々な形状のものが生産され使用されている。しかしながらそれらは、水槽の底部に設置する為の形状だったり水槽を構成する部材の一部だったりするものばかりである。【０００３】  サーモスタットのホルダーの機能は、水に浮きやすいサーモスタットを水が入った水槽内部に固定して水面に浮き上がらないようにすることである。また、まれに期待されているのが、サーモスタットを観賞魚用水槽に縦方向に固定する機能であるが、これは縦方向にサーモスタットを挿入することが可能な水槽の部材の一部になっている場合にのみ有効に働く機能であり、サーモスタットのホルダーそのものが積極的にサーモスタットを縦方向に水槽に固定する機能を有する訳ではない。【０００４】  なお、本願考案に関連する公知技術として次の特許文献１を挙げることができる。【０００５】
【特許文献１】  登録実用新案第３０５１３７４号
【考案の開示】
【考案が解決しようとする課題】
【０００６】  上記の如く、従来技術に係るサーモスタットのホルダーは、サーモスタットを縦方向に水槽へ設置することを前提にすると、縦方向にサーモスタットを挿入することが可能な水槽の部材の一部になっている場合にのみ有効に働く機能であり、サーモスタットのホルダーそのものが積極的にサーモスタットを縦方向に水槽に固定する機能を有する訳ではないので、このサーモスタットのホルダーを一般のサーモスタットのホルダーを内蔵していない観賞魚用水槽で縦方向で使用することは出来ない。【０００７】  このため、サーモスタットを観賞魚用水槽に縦方向に固定して使用する場合は、吸盤付きのサーモスタット及び壁面が平坦な水槽を用意するか、初めから縦方向にサーモスタットを挿入することが可能なあらかじめ縦方向にサーモスタットのホルダーが内蔵されている水槽を用意しなければならず、サーモスタットを縦方向に水槽に固定することがし辛い水槽では、熱帯魚や冷水に弱い魚類を飼育することが困難であるのが現状である。【０００８】  本考案は、このような点を考慮し成された物であり、その目的は、観賞魚用水槽にサーモスタットを固定する為のサーモスタットのホルダーに、サーモスタットを縦方向に収納でき且つ水没しても内容物のサーモスタットが浮力で容器外に飛び出なくする機能と、観賞魚用水槽に必要に応じて自由に着脱できる機能を持たせることで、サーモスタットのホルダーを内蔵していない観賞魚用水槽にサーモスタットを縦方向に固定できるようにすることにある。
【課題を解決するための手段】
【０００９】  上記の目的を達成する本考案のサーモスタットホルダーは、観賞魚用サーモスタットを収容するホルダーであって、穴を有する本体容器と、ボルトを装備した鉤と、前記本体容器の開口部に対応する蓋で構成されたことを特徴とするホルダー。
【考案の効果】
【００１０】  以上説明したように、本考案によれば、穴を有する本体容器と、ボルトを装備した鉤と、前記本体容器の開口部に対応する蓋で構成した物をサーモスタットのホルダーとしたので、サーモスタットのホルダーに、サーモスタットを縦方向に収納でき且つ水没しても内容物のサーモスタットが浮力で容器外に飛び出なくする機能と、観賞魚用水槽に必要に応じて自由に着脱できる機能を持たせることが可能となる。このサーモスタットホルダーを例えば熱帯魚を飼育する為の観賞魚用水槽へのサーモスタット設置作業に用いることで、サーモスタットのホルダーを内蔵していない観賞魚用水槽にサーモスタットを縦方向に固定することが可能となり、水槽内で一度固定されたサーモスタットの吸盤外れによる浮力の防止、ビールジョッキ内でのタイ産熱帯魚であるベタの越冬飼育等に有効である。
【考案を実施するための最良の形態】
【００１１】  以下、本考案の実施の形態を図面に基づき詳細に説明する。【００１２】  図１から図７は、本考案の第１の実施の形態に係り、図１はその横面図、図２はモの盖を除いた部位の横面図、図３はその蓋を除いた部位の外観斜視図、図４はその蓋の横面図、図５はその蓋の外観斜視図、図６はその蓋の正面図である。図７はそのサーモスタットを収容してビールジョッキに設置されてタイ産熱帯魚ベタの飼育に利用されている場合の横面図である。【００１３】  図１で示すように、本サーモスタットホルダーは、穴６を有する本体容器１と、ボルト３を装備した鉤２と、前記本体容器１の開口部に対応する蓋７で構成したものである。【００１４】  図１、図２、図３で示すように、本体容器１には水中で観賞魚用サーモスタットの熱を水槽内に伝導できるようにする為の穴６が設けられている。【００１５】  図２、図３で示すように、本体容器１上部には、蓋７をスライド式にはめ込む為の溝５が設けられている。【００１６】  図７で示すように、本体容器１の内部の幅や奥行きは、市販の観賞魚用サーモスタット本体１２を出し入れするのに支障が無く且つ前記観賞魚用サーモスタット本体１２部分を収容できる程である。【００１７】  図１、図２、図３で示すように、鉤２は、そのビーム部分にボルト３を二つ以上装備している。【００１８】  図７で示すように、鉤２の大きさは、本体容器１を水槽に懸架して外れない大きさをしている。【００１９】  鉤２の鉤部分の内側ビーム間の距離は、１ｃｍ以上、３ｃｍ以内である。【００２０】  鉤２のボルト３を通す為の穴の内側は雌螺子である。【００２１】  本体容器１と鉤２を接合する方法は、鋲止め、螺子止め、溶接等、接着剤使用以外の接合方法ならば何でも良い。【００２２】  図１、図２、図３、図７で示すように、本体容器１に収容する観賞魚用サーモスタット本体１２部分を水没させる為、本体容器１上部が鉤２上部よりも低い位置になっている。【００２３】  図５で示すように、蓋７上部には観賞魚用サーモスタットのコード１３が通り、観賞魚用サーモスタット本体１２部分の横断面の大きさを成す物体が通れない程の広さの隙間８が設けられている。【００２４】  図６で示すように、蓋７の内側には、本体容器１上部に設けられた溝５に対応してかみ合うレール９が設けられている。【００２５】  図１、図２、図３、図７で示すように、ボルト３の螺子部分先端部にはかどあて４が設置されている。【００２６】  本体容器１及び鉤２及び蓋７の素材は、金属、プラスチック、ＦＲＰ、塩化ビニール、アクリル等、耐水性を有していれば何でも良い。【００２７】  ボルト３の素材は、金属である。【００２８】  かどあて４の素材は、ゴム、プラスチック、ＦＲＰ、ビニール、塩化ビニール、アクリル、コルク等、観賞魚用水槽に接触した際にその壁面に傷をつけ難いものならば何でも良い。
【産業上の利用可能性】
【００２９】  本考案は、ペット用品を製造、販売する産業分野で利用する事ができる。
【図面の簡単な説明】
【００３０】
【図１】  本考案の第１の実施の形態に係るサーモスタットホルダーの横面図である。
【図２】  図１のサーモスタットホルダーの蓋を除いた部位の横面図である。
【図３】  図１のサーモスタットホルダーの蓋を除いた部位の外観斜視図である。
【図４】  図１のサーモスタットホルダーの蓋の横面図である。
【図５】  図１のサーモスタットホルダーの蓋の外観斜視図である。
【図６】  図１のサーモスタットホルダーの蓋の正面図である。
【図７】  図１のサーモスタットホルダーのサーモスタットを収容してビールジョッキに設置されてタイ産熱帯魚ベタの飼育に利用されている場合の横面図である。
【符号の説明】
【００３１】  １          本体容器
２          鉤
３          ボルト
４          かどあて
５          溝
６          穴
７          蓋
８          隙間
９          レール
１０          ジョッキ
１１          ベタ
１２          観賞魚用サーモスタット本体
１３          サーモスタットのコード
１４          家庭のコンセント
１５          台座
【図１】
0003155933.tif 000003
【図２】
0003155933.tif 000004
【図３】
0003155933.tif 000005
【図４】
0003155933.tif 000006
【図５】
0003155933.tif 000007
【図６】
0003155933.tif 000008
【図７】
0003155933.tif 000009